(57)【要約】【課題】音声情報と同時にスライドショー再生される静止画をユーザが選択することができようにする。【解決手段】スライドショー再生される複数の静止画のうち１の静止画を選択する旨の指示入力がなされたときには、その選択された静止画に対応する静止画情報の再生開始時間に基づいて再生位置を特定し、その再生位置から音声情報および選択された静止画を直ちに再生する。【選択図】　　　図９
2004095019.tif 000002
【特許請求の範囲】
【請求項１】
音声情報と、複数の静止画情報と、前記音声情報の再生中における前記複数の静止画情報の再生時点をそれぞれ示す再生制御情報とに基づいて、前記音声情報および前記複数の静止画情報を再生する情報再生装置であって、
前記音声情報を再生する音声再生手段と、
前記音声情報の再生中において、前記再生制御情報に基づいて、前記再生時点が到来する度に当該時点に再生すべき１の静止画情報を再生し、これを繰り返すことによって前記複数の静止画情報を順次切り換えながら再生する静止画再生手段と、
前記複数の静止画情報の中から１の静止画情報を選択する選択手段と、
前記再生制御情報に基づいて、前記選択手段により選択された１の静止画情報の再生時点に対応する再生位置から前記音声情報および前記選択手段により選択された１の静止画情報を再生するように、前記音声再生手段および前記静止画再生手段を制御する制御手段と
を備えたことを特徴とする情報再生装置。
【請求項２】
前記制御手段は、前記選択手段により選択された１の静止画情報の再生開始時点に対応する再生位置から前記音声情報および前記選択手段により選択された１の静止画情報を再生するように、前記音声再生手段および前記静止画再生手段を制御することを特徴とする請求項１に記載の情報再生装置。
【請求項３】
前記選択手段は、現在再生されている１の静止画情報の次に再生すべき１の静止画情報を選択する旨の指示を入力する指示入力手段を備えたことを特徴とする請求項１または２に記載の情報再生装置。
【請求項４】
前記選択手段は、現在再生されている１の静止画情報の前に再生すべき１の静止画情報を選択する旨の指示を入力する指示入力手段を備えたことを特徴とする請求項１または２に記載の情報再生装置。
【請求項５】
前記選択手段は、前記複数の静止画情報の中から所望の１の静止画情報を選択する旨の指示を入力する指示入力手段を備えたことを特徴とする請求項１または２に記載の情報再生装置。
【請求項６】
コンピュータを請求項１ないし５のいずれかに記載の情報再生装置として機能させることを特徴とするコンピュータプログラム。
【請求項７】
音声情報と、複数の静止画情報と、前記音声情報の再生中における前記複数の静止画情報の再生時点をそれぞれ示す再生制御情報とに基づいて、前記音声情報および前記複数の静止画情報を再生する情報再生方法であって、
前記音声情報を再生する音声再生工程と、
前記音声情報の再生中において、前記再生制御情報に基づいて、前記再生時点が到来する度に当該時点に再生すべき１の静止画情報を再生し、これを繰り返すことによって前記複数の静止画情報を順次切り換えながら再生する静止画再生工程と、
前記複数の静止画情報の中から１の静止画情報を選択する選択工程と、
前記再生制御情報に基づいて、前記選択工程において選択された１の静止画情報の再生時点に対応する再生位置から前記音声情報および前記選択手段により選択された１の静止画情報を再生するように、前記音声再生工程および前記静止画再生工程における再生処理を制御する制御工程と
を備えたことを特徴とする情報再生方法。
【発明の詳細な説明】
【０００１】
【発明の属する技術分野】
本発明は、例えばＤＶＤオーディオプレーヤなど、音声情報と共に静止画情報を再生する情報再生装置および情報再生方法に関する。
【０００２】
【従来の技術】
例えばＤＶＤオーディオプレーヤ等の情報再生装置には、音声だけでなく静止画を再生する機能を有するものがある。具体的には、ＤＶＤ等の記録媒体に、音声情報と、複数の静止画情報と、音声情報の再生中における複数の静止画情報の再生開始時点等をそれぞれ示す再生制御情報が記憶されており、この記録媒体を情報再生装置で再生すると、音声情報が再生されると同時に静止画情報が再生される。
【０００３】
静止画の再生方法は様々あるが、そのうちの一例を挙げると、音声の再生中に、複数の静止画を１枚ずつ既定の時間間隔で切り換えながら再生する方法（スライドショー再生）がある。上述した再生制御情報には、各静止画情報の再生開始時点が記述されており、情報再生装置は、音声情報の再生中に、この再生制御情報に基づいて各静止画情報を順次切り換えながら再生する。これにより、音声情報の再生と静止画情報の再生とを同期させることができ、スライドショー再生が実現される。
【０００４】
なお、ＤＶＤ規格によるスライドショー再生の場合、各静止画情報の再生開始時間は、音声情報および静止画情報を作成する製作者側が決定する事項であり、ユーザが任意に設定することができない。
【０００５】
【発明が解決しようとする課題】
ところで、音声情報と同時に静止画情報をスライドショー再生する場合、静止画情報は、再生制御情報に記述された再生開始時間が到来しなければ切り替わらない。そのため、ユーザは現在再生されている静止画の次に再生される静止画を見るためには、当該静止画に対応する静止画情報の再生開始時間が到来するまで待たなければならない。また、この場合、ユーザは現在再生されている静止画の前に再生された静止画を見ることができない。また、この場合、ユーザはスライドショー再生させる複数の静止画を自由に選んで再生することもできない。
【０００６】
もっとも、ユーザが音声再生の早送りや巻戻しをする操作をすれば、次のまたは前の静止画を見ることができるであろう。しかし、音声再生の早送りや巻戻し操作によって所望の静止画が再生される位置を迅速に探し当てることは容易でない。
【０００７】
本発明は上記に例示したような問題点に鑑みなされたものであり、本発明の目的は、音声情報と同時にスライドショー再生される静止画をユーザが選択することができようにした情報再生装置および情報再生方法を提供することにある。
【０００８】
【課題を解決するための手段】
上記課題を解決するために請求項１に記載の情報再生装置は、音声情報と、複数の静止画情報と、前記音声情報の再生中における前記複数の静止画情報の再生時点をそれぞれ示す再生制御情報とに基づいて、前記音声情報および前記複数の静止画情報を再生する情報再生装置であって、前記音声情報を再生する音声再生手段と、前記音声情報の再生中において、前記再生制御情報に基づいて、前記再生開始時点が到来する度に当該時点に再生すべき１の静止画情報を再生し、これを繰り返すことによって前記複数の静止画情報を順次切り換えながら再生する静止画再生手段と、前記複数の静止画情報の中から１の静止画情報を選択する選択手段と、前記再生制御情報に基づいて、前記選択手段により選択された１の静止画情報の再生時点に対応する再生位置から前記音声情報および前記選択手段により選択された１の静止画情報を再生するように、前記音声再生手段および前記静止画再生手段を制御する制御手段とを備えたことを特徴とする。
【０００９】
上記課題を解決するために請求項６に記載のコンピュータプログラムは、コンピュータを請求項１ないし５のいずれかに記載の情報再生装置として機能させることを特徴とする。
【００１０】
上記課題を解決するために請求項７に記載の情報再生方法は、音声情報と、複数の静止画情報と、前記音声情報の再生中における前記複数の静止画情報の再生時点をそれぞれ示す再生制御情報とに基づいて、前記音声情報および前記複数の静止画情報を再生する情報再生方法であって、前記音声情報を再生する音声再生工程と、前記音声情報の再生中において、前記再生制御情報に基づいて、前記再生開始時点が到来する度に当該時点に再生すべき１の静止画情報を再生し、これを繰り返すことによって前記複数の静止画情報を順次切り換えながら再生する静止画再生工程と、前記複数の静止画情報の中から１の静止画情報を選択する選択工程と、前記再生制御情報に基づいて、前記選択工程において選択された１の静止画情報の再生時点に対応する再生位置から前記音声情報および前記選択手段により選択された１の静止画情報を再生するように、前記音声再生工程および前記静止画再生工程における再生処理を制御する制御工程とを備えたことを特徴とする。
【００１１】
【発明の実施の形態】
以下、本発明の実施の形態を図１ないし図４に基づいて説明する。
【００１２】
まず、本発明の実施形態にかかる情報再生装置の構成について説明する。
【００１３】
図１は実施形態にかかる情報再生装置を示している。図１に示すように、実施形態にかかる情報再生装置１０は、音声情報と、複数の静止画情報と、音声情報の再生中における複数の静止画情報の再生時点をそれぞれ示す再生制御情報とに基づいて、音声情報および複数の静止画情報を再生する情報再生装置である。
【００１４】
情報再生装置１０は、例えばＤＶＤオーディオプレーヤ、ＤＶＤカラオケプレーヤ等である。なお、情報再生装置１０は、記録媒体に記録された音声情報および静止画情報を再生するタイプの情報再生装置であると、例えばインターネット等から配信される音声情報および静止画情報を再生するタイプの情報再生装置であるとを問わない。
【００１５】
音声情報とは、例えば、音楽等の音声を何らかの信号またはデータに変換したものである。静止画情報とは、静止画を何らかの信号またはデータに変換したものである。また、１の静止画情報は１枚の静止画に対応するのが最も単純な構成である。しかし、かかる構成に限定されない。
【００１６】
再生制御情報とは、音声情報の再生中における複数の静止画情報の再生時点をそれぞれ示す情報である。静止画情報の再生時点とは、静止画情報の再生される期間うちのいずれかの時点を意味する。なお、ＤＶＤ規格によれば、静止画情報の再生開始時点が再生制御情報として記述されるが、再生制御情報に記述すべき再生時点は、再生開始時点に限らず、１の静止画情報の再生される期間のうちの１時点を示すものであれば何でもよい。
【００１７】
また、静止画情報の再生時点を示す方法は様々考えられる。例えば、音声情報の再生開始時点から静止画情報の再生時点までの時間を記述する方法や、複数の静止画情報の再生順序と各静止画情報の表示期間を記述する方法等が考えられる。いずれにしても、音声情報の再生中における各静止画情報の再生時点を特定することができれば、その方法は限定されない。
【００１８】
なお、ＤＶＤ規格におけるスライドショー再生の場合、再生制御情報における各静止画情報の再生時点（再生開始時点）の値は固定されている。すなわち、再生制御情報における各静止画情報の再生時点をいかに設定するかは、音声情報および静止画情報等を作成する製作者が決定する事項である。そのため、ユーザは各静止画情報の再生時点の設定を変更することはできない。
【００１９】
また、音声情報、静止画情報および再生制御情報は、ＤＶＤ等の記録媒体に記録されている場合もあれば、インターネット等から配信される場合もあり得る。
【００２０】
図１に示すように、情報再生装置１０は、音声情報を再生する音声再生手段１１と、音声情報の再生中において、再生制御情報に基づいて、再生開始時点が到来する度に当該時点に再生すべき１の静止画情報を再生し、これを繰り返すことによって複数の静止画情報を順次切り換えながら再生する静止画再生手段１２と、複数の静止画情報の中から１の静止画情報を選択する選択手段１３と、再生制御情報に基づいて、選択手段１３により選択された１の静止画情報の再生時点に対応する再生位置から音声情報および選択手段１３により選択された１の静止画情報を再生するように、音声再生手段１１および静止画再生手段１２を制御する制御手段１４とを備えている。
【００２１】
音声再生手段１１は、例えば記録媒体に記録された音声情報を再生する場合には、記録媒体から音声情報を読み取る読取手段（例えば光ピックアップ、磁気ヘッド等）と、記録媒体から読み取った音声情報を音声に変換する手段（例えばデコーダ等）等を備えている。
【００２２】
静止画再生手段１２は、複数の静止画を例えば１枚ずつ切り換えながら再生することにより、いわゆるスライドショー再生を実現する手段である。静止画再生手段１２は、再生制御情報に基づいて各静止画情報を再生する。再生制御情報には、上述したように、音声情報の再生中における各静止画情報の再生時点を示す情報が記述されている。静止画再生手段１２は、再生制御情報に基づいて各静止画情報の再生時点を認識し、各再生時点が到来する度に当該時点に再生すべき１の静止画情報を再生し、これを繰り返すことによって複数の静止画情報を順次切り換えながら再生する。
【００２３】
選択手段１３は、複数の静止画情報の中から１の静止画情報を選択する。選択手段１３は、例えば、ユーザによる静止画の選択を可能とするための操作機構ないしユーザインタフェース、およびユーザによって選択された静止画に対応する静止画情報を特定し、認識する手段などを備えている。
【００２４】
制御手段１４は、選択手段１３により選択された１の静止画情報の再生時点を、再生制御情報に基づいて特定する。そして、制御手段１４は、当該１の静止画情報の再生時点に対応する再生位置を求め、その再生位置から音声情報および当該１の静止画情報を再生するように、音声再生手段１１および静止画再生手段１２を制御する。これにより、選択手段１３により選択された１の静止画情報の再生時点に対応する再生位置から、音声情報および当該１の静止画情報が再生される。なお、ここでいう１の静止画情報の再生時点は、当該１の静止画情報が再生される期間のうちの１時点であれば、いつでもよい。
【００２５】
次に、情報再生装置１０の動作について図２ないし図４を参照して具体的に説明する。
【００２６】
図２は、音声情報Ｍと、音声情報Ｍの再生中に再生される静止画情報ＡないしＥとの再生時における時間関係を例示している。すなわち、図２中の横軸は再生時間ｔを示す。そして、再生時間ｔがＴ０の時（図２においてＴ０は０である）に音声情報Ｍの再生が開始され、再生時間ｔがＴ５の時に音声情報Ｍの再生が終了する。また、再生時間ｔがＴ０の時に音声情報Ｍの再生が開始されると同時に静止画情報Ａの再生が開始される。そして、再生時間ｔがＴ１の時には、再生される静止画情報が静止画情報Ａから静止画情報Ｂに切り換えられる。さらに、再生時間ｔがＴ２の時には、再生される静止画情報が静止画情報Ｂから静止画情報Ｃに切り換えられる。同様にして、再生時間ｔがＴ３の時には、再生される静止画情報が静止画情報Ｃから静止画情報Ｄに切り換えられ、再生時間ｔがＴ４の時には、再生される静止画情報が静止画情報Ｄから静止画情報Ｅに切り換えられる。そして、再生時間ｔがＴ５に達すると、音声情報Ｍの再生の終了と同時に静止画情報Ｅの再生が終了する。
【００２７】
以下、図２に示すような音声情報Ｍと、静止画情報ＡないしＥと、静止画情報ＡないしＥの再生開始時点Ｔ０ないしＴ４をそれぞれ示す再生制御情報が例えばＤＶＤ等の記録媒体に記録されており、情報再生装置１０が、この記録媒体からこれらの情報を読み出して再生する場合を例に挙げる。また、以下の例において、静止画再生手段１２は各静止画情報の再生開始時点に基づいて静止画情報を切り換え、また、制御手段１４は、選択手段により選択された１の静止画情報の再生開始時点に対応する再生位置から音声情報および選択手段により選択された１の静止画情報を再生するように、音声再生手段１１および静止画再生手段１２を制御するものとする。なお、これらの限定は、情報再生装置１０の再生動作の理解を容易にするための限定にすぎない。
【００２８】
まず、図２に示すように、記録媒体を情報再生装置１０に装填し、ユーザが再生開始の指示を入力すると、情報再生装置１０の音声再生手段１１が音声情報Ｍの再生を開始する（ｔ＝Ｔ０＝０）。このとき、静止画情報Ａの再生開始時点はＴ０なので、静止画再生手段１２は、再生制御情報に基づいて、静止画情報Ａの再生を開始する。この結果、音声情報Ｍの再生と静止画情報Ａの再生が同時に開始される。
【００２９】
次に、音声情報Ｍおよび静止画情報Ａの再生中に、ユーザが静止画情報Ｂに対応する静止画を選択する旨の指示を情報再生装置１０に入力したとする。すると、図３に示すように、選択手段１３はこのユーザの指示を受け取り、この指示に従って静止画情報Ｂを選択する。そして、制御手段１４は、再生制御情報に基づいて静止画情報Ｂの再生開始時点Ｔ１を認識し、再生開始時点Ｔ１に対応する再生位置から音声情報Ｍおよび静止画情報Ｂを再生するように、音声再生手段１１および静止画再生手段１２を制御する。これにより、音声情報Ｍと静止画情報Ｂが時点Ｔ１から再生される。
【００３０】
次に、音声情報Ｍおよび静止画情報Ｂの再生中に、ユーザが静止画情報Ｄに対応する静止画を選択する旨の指示を情報再生装置１０に入力したとする。すると、図４に示すように、選択手段１３はこのユーザの指示を受け取り、この指示に従って静止画情報Ｄを選択する。そして、制御手段１４は、再生制御情報に基づいて静止画情報Ｄの再生開始時点Ｔ３を認識し、再生開始時点Ｔ３に対応する再生位置から音声情報Ｍおよび静止画情報Ｄを再生するように、音声再生手段１１および静止画再生手段１２を制御する。これにより、音声情報Ｍと静止画情報Ｄが時点Ｔ１から再生される。
【００３１】
このように、音声情報Ｍおよび静止画情報の再生中に、ユーザが静止画情報ＡないしＥの中から、１の静止画情報を任意に選択し、当該１の静止画情報を選択する旨の指示を情報再生装置１０に入力すれば、当該１の静止画情報が直ちに再生される。そして、音楽情報Ｍは、当該１の静止画情報の再生開始と同時に、当該１の静止画情報の再生開始時点に対応する再生位置から再生される。
【００３２】
なお、ユーザによる静止画の選択の態様は様々考えられる。例えば、現在再生されている静止画の次の静止画を１枚１枚先送りする方法、現在再生されている静止画の前の静止画を１枚１枚戻す方法、または現在再生されている静止画が何であるか若しくは静止画の再生順序にかかわらず、任意の静止画を直接選択する方法などが考えられる。情報再生装置１０は、いずれの方法も採用可能である。
【００３３】
また、上述した例では、再生中にユーザが静止画を選択する場合を例に挙げたが、再生停止中にユーザが静止画を選択した場合でも、ほぼ同様の動作が実現される。すなわち、再生をしていないときに、ユーザが所望の静止画、例えば静止画情報Ｄに対応する静止画を選択し、その後、再生開始の指示を入力すると、図４に示すように、静止画情報Ｄおよび音楽情報Ｍがその再生開始時点Ｔ３に対応する再生位置から再生される。
【００３４】
以上より、本実施形態にかかる情報再生装置１０によれば、スライドショー再生における複数の静止画情報の再生時点が予め決められている場合でも、ユーザの選択指示等に従って、静止画情報を選択し、再生することができる。これにより、ユーザは見たい静止画を１枚１枚めくったり、見逃した静止画を見るために静止画を１枚１枚戻したり、見たい静止画の番号を直接指定して、所望の静止画を見ることができる。
【００３５】
次に、本実施形態にかかる情報再生装置１０の各種態様について説明する。
【００３６】
上述した情報再生装置１０において、制御手段１４を、選択手段１３により選択された１の静止画情報の再生開始時点に対応する再生位置から前記音声情報および前記選択手段により選択された１の静止画情報を再生するように、音声再生手段および前記静止画再生手段を制御する構成としてもよい。
【００３７】
すなわち、上述したように、制御手段１４が、選択手段１３により選択された１の静止画情報に基づいて音声情報および当該１の静止画情報の再生を制御する場合において、１の静止画情報の再生時点は、当該１の静止画情報が再生される期間のうちの１時点であればいつでもよい。しかし、１の静止画情報の再生時点を、当該１の静止画情報の再生開始時点とする構成とすれば、ユーザにより選択された１の静止画情報を当該１の静止画情報の再生開始時点から再生することができ、ユーザが希望する１の静止画情報を既定の期間再生することができる。
【００３８】
また、選択手段１３を、現在再生されている１の静止画情報の次に再生すべき１の静止画情報を選択する旨の指示を入力する指示入力手段を備える構成としてもよい。
【００３９】
これにより、ユーザは指示入力手段を操作して、見たい静止画を１枚１枚先送りすることができる。
【００４０】
また、選択手段１３を、現在再生されている１の静止画情報の前に再生すべき１の静止画情報を選択する旨の指示を入力する指示入力手段を備える構成としてもよい。
【００４１】
これにより、ユーザは指示入力手段を操作して、見逃した静止画情報を１枚１枚戻すことができる。
【００４２】
また、選択手段１３を、複数の静止画情報の中から所望の１の静止画情報を選択する旨の指示を入力する指示入力手段を備える構成としてもよい。
【００４３】
これにより、ユーザは指示入力手段を操作して、見たい静止画を直接選択して見ることができる。
【００４４】
なお、以上のような実施形態は、専用の装置としてハードウェアと一体的に構成する形態で実現してもよいし、コンピュータにプログラムを読み込ませることによって実現してもよい。
【００４５】
【実施例】
以下、本発明の実施例を図５ないし図８に基づいて説明する。以下の実施例は、本発明の情報再生装置をＤＶＤオーディオプレーヤに適用した例である。
【００４６】
まず、本発明の実施例にかかるＤＶＤオーディオプレーヤの構成について説明する。図５は実施例にかかるＤＶＤオーディオプレーヤの構成を示している。図５に示すように、本実施例にかかるＤＶＤオーディオプレーヤ３０は、ＤＶＤ１に記録された音声情報および静止画情報等を再生する情報再生装置である。音声情報は例えば音楽を符号化した情報であり、静止画情報は静止画を符号化した情報である。ＤＶＤオーディオプレーヤ３０は、音声情報を再生すると同時に静止画情報を再生し、いわゆるスライドショー再生を実現する機能を備えている。
【００４７】
ＤＶＤオーディオプレーヤ３０は、ディスク読取部３１、信号処理部３２、音声デコーダ３３、静止画デコーダ３４、システムコントローラ３５および操作部３６を備えている。
【００４８】
ディスク読取部３１は、ＤＶＤ１の記録面に光ビームを照射してその反射光を受け取る光ピックアップ、ＤＶＤ１を回転させるスピンドルモータ、並びに光ビームの照射位置およびスピンドルモータの回転等を制御するサーボ制御機構等（いずれも図示せず）を備えている。ディスク読取部３１は、ＤＶＤ１に記録された音楽情報および静止画情報等を含む信号を読み取り、読み取った信号を信号処理部３２に出力する。
【００４９】
信号処理部３２は、復調回路等を備えている。信号処理部３２は、ディスク読取部３１から出力された信号を復調し、音声情報、静止画情報およびこれらの再生を制御する制御情報等を抽出する。そして、音声情報および静止画情報は音声デコーダ３３および静止画デコーダ３４にそれぞれ供給される。
【００５０】
音声デコーダ３３は、音声情報をデコードする回路である。音声デコーダ３３にデコードされた音声信号は、例えばデジタル−アナログコンバータなどを介してスピーカ等に供給される。
【００５１】
静止画デコーダ３４は、静止画情報をデコードする回路である。静止画デコーダ３４によりデコードされた静止画信号は、液晶ディスプレイまたはプラズマディスプレイ等のモニターに供給される。
【００５２】
システムコントローラ３５は、ＣＰＵ（セントラルプロセッシングユニット）、ＲＯＭ（リードオンリメモリ）、ＲＡＭ（ランダムアクセスメモリ）等の演算回路および記憶回路を備えている。システムコントローラ３５は、ＤＶＤオーディオプレーヤ３０の全体的な制御、再生制御、静止画選択処理等を行う。
【００５３】
操作部３６は、スイッチパネル、リモコン等を備えている。操作部３６は、ユーザがＤＶＤオーディオプレーヤ３０に対し、電源のオン・オフ、再生開始、再生停止、グループ・トラックの選択等の指示を入力するためのユーザインタフェースである。
【００５４】
ここで、図６は操作部３６の一部を構成するリモコン３７のパネル面を示している。図６に示すように、リモコン３７には、複数の数字ボタンを備えた数字ボタン部３７Ａ、複数の矢印ボタンおよび決定ボタンを備えた矢印ボタン部３７Ｂ、並びに静止画選択モードボタン３７Ｃが設けられている。
【００５５】
次に、音声情報、静止画情報、およびこれらの情報の再生を制御する制御情報について説明する。
【００５６】
ＤＶＤ１には、ＤＶＤオーディオ規格に基づいて、音声情報、静止画情報およびこれらの情報の再生を制御する制御情報が記録されている。音声情報は、主としてグループ、オーディオタイトル、トラックからなる階層構造を有している。グループはいくつかのオーディオタイトルから構成されている。オーディオタイトルは、プログラムチェインによって構成され、いくつかのプログラムを含んでいる。トラックはプログラムチェインで定義されたプログラムに対応する。
【００５７】
ユーザは、ＤＶＤ１を再生する際に、グループとトラックを指定することができる。ユーザが１のグループを指定し、さらにそのグループに属する１のトラックを指定すると、プログラムチェイン情報により、当該トラック（プログラム）に関連づけられたオーディオオブジェクト（ＡＯＢ）とオーディオ静止画オブジェクト（ＡＳＶＯＢ）が再生される。また、オーディオオブジェクトは、１以上のセルから構成されている。オーディオオブジェクトが音声情報にあたり、オーディオ静止画オブジェクトが静止画情報にあたる。
【００５８】
また、ＤＶＤ規格において、音声情報の再生と同時に静止画情報を再生する方法は様々あり、いかなる再生方法を選択するかは、音声情報および静止画情報を提供する製作者側が決める事項である。製作者は、静止画情報の再生方法を選択し、その選択した再生方法を制御情報としてＤＶＤ１に記録しておく。これにより、ＤＶＤオーディオプレーヤ３０は、その制御情報を読み取り、その制御情報に記述された再生方法に従って静止画情報を再生する。
【００５９】
静止画情報の再生方法の１つにスライドショー再生がある。スライドショー再生とは、複数の静止画を既定の時間間隔で１枚ずつ切り換えながら再生（表示）する方法である。本実施例において、ＤＶＤ１に記録された情報の製作者は、静止画情報の再生方法としてスライドショー再生を選択しており、その旨を示す制御情報がＤＶＤ１に記録されている。
【００６０】
静止画のスライドショー再生を実現するために、ＤＶＤ１には、複数の静止画にそれぞれ対応する複数の静止画情報と、各静止画情報の再生開始時間を記述した表示リスト情報（再生制御情報）が記録されている。表示リスト情報は、トラックごとに作成し、記録することができる。
【００６１】
なお、表示リスト情報に記述される各静止画情報の再生開始時間は、音声情報および静止画情報を提供する製作者側が決める事項である。したがって、ＤＶＤ１に記録された各静止画情報の再生開始時間の値は固定の値であり、ユーザ側がこれを変更することはできない。
【００６２】
図７は表示リスト情報の一例を示している。本実施例では、説明のため便宜上、単純な具体例として、グループ＃１のトラック＃１のために、図７に示すような表示リスト情報ＤＬが作成され、ＤＶＤ１に記録されているものと仮定する。
【００６３】
図７に示すように、表示リスト情報ＤＬには、トラック＃１の再生中に再生（表示）される静止画情報に関する４つ表示リストが、再生する順序で記述されている。各表示リストは、表示リスト番号（図７中の第１列）、静止画情報番号（第２列）および再生開始時間（第３列）から構成されている。
【００６４】
表示リスト番号は、各表示リストの再生順序（各表示リストに指定された静止画情報の再生順序）を示すと共に、個々の表示リストを特定する役割を果たす。静止画情報番号は、トラック＃１の再生中に再生される静止画情報を指し示す番号である。再生開始時間は、トラック＃１の再生中に再生される各静止画情報の再生開始時間である。
【００６５】
図８はトラック＃１に関連づけられた音声情報と、トラック＃１に関連づけられた静止画情報＃１ないし＃４との再生時における時間関係を示している。トラック＃１を再生すると、トラック＃１に関連づけられた音声情報と静止画情報が図８に示すように再生される。
【００６６】
すなわち、図８中の横軸は再生時間ｔを示す。そして、再生時間ｔがＴ０の時（図８においてＴ０は０分０秒である）に音声情報の再生が開始され、再生時間ｔがＴ４の時に音声情報の再生が終了する。また、再生時間ｔがＴ０の時に音声情報の再生が開始されると同時に静止画情報＃１の再生が開始される。そして、再生時間ｔがＴ１（１分３０秒）の時には、再生される静止画情報が静止画情報＃１から静止画情報＃２に切り換えられる。さらに、再生時間ｔがＴ２（３分）の時には、再生される静止画情報が静止画情報＃２から静止画情報＃３に切り換えられる。同様にして、再生時間ｔがＴ３（４分）の時には、再生される静止画情報が静止画情報＃３から静止画情報＃４に切り換えられる。そして、再生時間ｔがＴ４に達すると、音声情報の再生の終了と同時に静止画情報＃４の再生が終了する。
【００６７】
次に、ＤＶＤオーディオプレーヤ３０における再生制御および静止画選択処理について図９を参照して説明する。
【００６８】
ユーザが、ＤＶＤオーディオプレーヤ３０にＤＶＤ１を装填し、リモコン３７を操作して、例えばグループ＃ｎ、トラック＃ｍを再生すべき旨の指示を入力したとする。これにより、ＤＶＤオーディオプレーヤ３０は、システムコントローラ３５による制御のもと、ＤＶＤ１に記録されたグループ＃ｎ、トラック＃ｍに関連づけられた音声情報および静止画情報の再生を開始する。
【００６９】
次に、システムコントローラ３５は、静止画選択処理を実行する。図９は静止画選択処理を示している。静止画選択処理は、ユーザの選択指示に従い、スライドショー再生における静止画の変更・選択・再生を実現する処理である。
【００７０】
図９に示すように、システムコントローラ３５は、グループ＃ｍ、トラック＃ｎに関連づけられた音声情報および静止画情報の再生を開始した後（ステップＳ１１）、静止画情報を選択する旨の指示入力があったか否かを判定する（ステップＳ１２）。
【００７１】
例えば、現在、静止画情報＃ｉが再生されているときに、ユーザがこの静止画情報＃ｉの次に再生される予定の静止画情報＃ｊを見たくなり、静止画情報＃ｊの再生開始時間が到来する前に、リモコン３７を操作して、静止画情報＃ｊを選択する旨の指示入力をしたとする。これにより、システムコントローラ３５は、ユーザのかかる指示入力を受け取る（ステップＳ１２：ＹＥＳ）。
【００７２】
次に、システムコントローラ３５は、現在再生されているグループ＃ｍ、トラック＃ｎに関連付けられた表示リスト情報を参照する（ステップＳ１３）。
【００７３】
続いて、この表示リスト情報から、静止画情報＃ｊの再生開始時間Ｔｊを取得する。さらに、トラック＃ｎに関連付けられた音声情報の先頭セルの開始アドレスＳＡｎ、トラック＃ｎに関連付けられた音声情報の最終セルの終了アドレスＥＡｎ、およびトラック＃ｎのトータル再生時間ＰＴｎ（プレイバックタイム）を取得する（ステップＳ１４）。なお、これらの情報は、ＤＶＤ１に制御情報として記録されている（再生処理の過程でシステムコントローラ３５内のＲＡＭ等に読み込まれている場合もある）。
【００７４】
続いて、以下の数式に基づく演算を行い、再生位置ＲＰを算出する。
【００７５】
【数１】
2004095019.tif 000003
【００７６】
次に、システムコントローラ３５は、再生位置ＲＰから、音声情報および静止画情報＃ｊを再生するように、音声デコーダ３３および静止画デコーダ３４等を制御する。これにより、グループ＃ｍ、トラック＃ｎの音声情報および静止画情報＃ｊが、再生開始時間＃ｊに対応する再生位置ＲＰから再生される。
【００７７】
次に、以上に説明した静止画選択処理の具体的な動作および結果について図８を参照して具体的に説明する。
【００７８】
図８に示すように、ＤＶＤ１をＤＶＤオーディオプレーヤ３０に装填し、ユーザが、リモコン３７を操作して、グループ＃１、トラック＃１を指定し、再生開始の指示を入力したとする。すると、ＤＶＤオーディオプレーヤ３０により、グループ＃１、トラック＃１に関連付けられた音声情報の再生が開始される（ｔ＝Ｔ０＝０）。これと同時に、グループ＃１、トラック＃１に関連付けられた静止画情報＃１が再生される。
【００７９】
その後、例えば、再生時間ｔが時点Ｔ１に到来する前の時点ｔａ（例えば再生時間１分）で、ユーザが、図６に示すリモコン３７の静止画選択モードボタン３７Ｃを押し、続いて矢印ボタン部３７Ｂの右向き矢印ボタンを１回押して、現在再生されている静止画情報＃１の次の静止画情報＃２を選択する指示を入力したとする。すると、上述した静止画選択処理により、静止画情報＃２の再生開始時点Ｔ１に対応する再生位置から、静止画情報＃２が直ちに再生されると共に、トラック＃１に関連付けられた音声情報が当該再生位置から再生される。なお、この結果、時点ｔａから時点Ｔ１までの間の音声情報は再生されずに飛ばされることになる。
【００８０】
一方、ユーザが時点ｔａで、静止画情報＃３を選択すべく、矢印ボタン部３７の右向き矢印ボタンを２回押したとする。すると、上述した静止画選択処理により、静止画情報＃３の再生開始時点Ｔ２に対応する再生位置から、静止画情報＃３が直ちに再生されると共に、トラック＃１に関連付けられた音声情報が当該再生位置から再生される。
【００８１】
また、ユーザは時点ｔａで、リモコン３７の数字ボタン部３７Ａを操作すれば、所望の静止画情報を直ちに選択することもできる。例えば、時点ｔａで「３」のボタンを押せば、静止画情報＃３の再生開始時点Ｔ２に対応する再生位置から、静止画情報＃３および音声情報が直ちに再生される。
【００８２】
一方、グループ＃１、トラック＃１の再生が再生開始から、静止画選択の指示が入力されることなく、４分が経過したとする。このとき、図８に示すように、静止画情報＃４が再生されている。その後、トラック＃１が終了する前の時点ｔｂで、ユーザがリモコン３７の静止画選択モードボタン３７Ｃを押し、続いて矢印ボタン部３７Ｂの左向き矢印ボタンを１回押して、現在再生されている静止画情報＃４の前の静止画情報＃３を選択する指示を入力したとする。すると、上述した静止画選択処理により、静止画情報＃３の再生開始時点Ｔ２に対応する再生位置から、静止画情報＃３が直ちに再生されると共に、トラック＃１に関連付けられた音声情報が当該再生位置から再生される。
【００８３】
また、ユーザが時点ｔｂで、静止画情報＃２を選択すべく、矢印ボタン部３７の左向き矢印ボタンを２回押したとする。すると、上述した静止画選択処理により、静止画情報＃２の再生開始時点Ｔ１に対応する再生位置から、静止画情報＃２が直ちに再生されると共に、トラック＃１に関連付けられた音声情報が当該再生位置から再生される。
【００８４】
また、ユーザが時点ｔｂで、数字ボタン部３７Ａの「２」のボタンを押せば、静止画情報＃２の再生開始時点Ｔ１に対応する再生位置から、静止画情報＃２および音声情報が直ちに再生される。
【００８５】
なお、上述の説明では、静止画情報処理の実行される一場面として、音声情報および静止画情報の再生中に静止画が選択される場合を例に挙げたが、静止画情報処理は、再生停止時にも実行される。すなわち、再生が停止しているときに、ユーザがリモコン３７を操作して、グループ＃ｍ、トラック＃ｎ、静止画情報＃ｊを選択し、続いて再生開始の指示を入力すれば、直ちに、グループ＃ｍ、トラック＃ｎの静止画情報＃ｊが再生されると共に、トラック＃ｎに関連付けられた音声情報が当該静止画情報＃ｊの再生開始時点Ｔｊから再生される。
【００８６】
以上より、本実施例にかかるＤＶＤオーディオプレーヤ３０によれば、ユーザにより静止画を選択する旨の指示が入力されたときには、選択された静止画情報の再生開始時点に基づいてトラックの再生位置を決定し、この再生位置から、選択された静止画および音声の再生を直ちに行う構成としたから、スライドショー再生における複数の静止画情報の再生開始時点が固定値として予め設定されている場合でも、ユーザの選択指示に従って静止画情報を選択し、再生することができる。
【００８７】
これにより、ユーザは見たい静止画を１枚１枚めくったり、見逃した静止画を見るために静止画を１枚１枚戻したり、見たい静止画の番号を直接指定して、所望の静止画を見ることができる。
【００８８】
なお、上述した静止画選択処理における再生位置の計算方法は一例にすぎない。選択された静止画情報の再生時点からトラックの再生位置が特定できれば、他の計算方法でもよい。また、静止画情報の選択入力の方法も限定されない。
【００８９】
また、本発明は、請求の範囲および明細書全体から読み取るこのできる発明の要旨または思想に反しない範囲で適宜変更可能であり、そのような変更を伴う情報再生装置および情報再生方法並びにこれらの機能を実現するコンピュータプログラムもまた本発明の技術思想に含まれる。
【図面の簡単な説明】
【図１】本発明の実施形態にかかる情報再生装置の構成を示すブロック図である。
【図２】音楽情報の再生と静止画情報の再生との時間的関係を示す説明図である。
【図３】１の静止画情報が選択された状態を示す説明図である。
【図４】他の静止画が選択された状態を示す説明図である。
【図５】本発明の実施例にかかるＤＶＤオーディオプレーヤの構成を示すブロック図である。
【図６】実施例にかかるＤＶＤオーディオプレーヤのリモコンを示す平面図である。
【図７】表示リスト情報を示す説明図である。
【図８】音声情報の再生と静止画情報の再生との時間関係を示す説明図である。
【図９】静止画選択処理を示すフローチャートである。
【符号の説明】
１０、３０…情報再生装置（ＤＶＤオーディオプレーヤ）
１１、３３…音声再生手段（音声デコーダ）
１２、３４…静止画再生手段（静止画デコーダ）
１３、３６…選択手段（操作部）
１４、３５…制御手段（システムコントローラ）
【図１】
2004095019.tif 000004
【図２】
2004095019.tif 000005
【図３】
2004095019.tif 000006
【図４】
2004095019.tif 000007
【図５】
2004095019.tif 000008
【図６】
2004095019.tif 000009
【図７】
2004095019.tif 000010
【図８】
2004095019.tif 000011
【図９】
2004095019.tif 000012